(57)【要約】  本発明は、ランプ特に車両用ランプのためのベースであって、ベースハウジングと、該ベースハウジング内に固定された、ランプを受容し、かつ電気的に接触させるための少なくとも２つのコンタクトエレメントとを有している形式のものに関する。本発明によれば、ベースハウジングの前記コンタクトエレメントが、該ベースハウジング内に固定可能なベーススライダによって形状結合式及び／又は摩擦結合式に固定されている。
2008533672.tif 000002
【特許請求の範囲】
【請求項１】
ランプ殊に車両用ランプのためのベースであって、ベースハウジング（８）と、該ベースハウジング（８）内に固定された、ランプ（２）を受容し、かつ電気的に接触させるための少なくとも２つのコンタクトエレメント（１２，１４）とを有している形式のものにおいて、
ベースハウジング（８）の前記コンタクトエレメント（１２，１４）が、該ベースハウジング（８）内に固定可能なベーススライダ（３８）によって形状結合式及び／又は摩擦結合式に固定されていることを特徴とする、ランプ用のベース。
【請求項２】
前記ベーススライダ（３８）が、ベースハウジング（８）の受容区分（４４）内に半径方向で導入可能である、請求項１記載のベース。
【請求項３】
前記ベーススライダ（３８）が前記ベースハウジング（８）と共に、少なくとも部分的に１つの共通のベース面及び／又は側面（４０，４２）を形成している、請求項１又は２記載のベース。
【請求項４】
ベーススライダ（３８）が複数の突起（７０，７２，７４，７６）を有しており、これらの突起（７０，７２，７４，７６）がベースハウジング（８）の複数の切欠（７８，８０，８２，８４）内に挿入可能である、請求項１から３までのいずれか１項記載のベース。
【請求項５】
ベースハウジング（８）の前記切欠（７８，８０，８２，８４）が、ベースハウジング（８）の長手方向軸線（５８）に対して直角に延在する長手方向溝である、請求項４記載のベース。
【請求項６】
少なくとも２つの長手方向溝（７８，８０）が、別の２つの長手方向溝（８２，８４）よりも大きい横断面を有している、請求項５記載のベース。
【請求項７】
前記ベーススライダ（３８）が少なくとも１つのロックエレメント（９０，９２）を介してベースハウジング（８）に固定されている、請求項１から６までのいずれか１項記載のベース。
【請求項８】
前記ロックエレメント（９０，９２）が少なくとも１つの係止突起（８８）を有している、請求項７記載のベース。
【請求項９】
ベースハウジング（３８）が、コンタクトエレメント（１２，１４）を受容するための少なくとも２つの切欠（４６，４８）を有しており、これらの切欠（４６，４８）は、前記コンタクトエレメント（１２，１４）が互いにほぼ平行に位置するように配置されている、請求項１から８までのいずれか１項記載のベース。
【請求項１０】
前記コンタクトエレメント（１２，１４）がコンタクトスプリングである、請求項１から９までのいずれか１項記載のベース。
【請求項１１】
前記コンタクトエレメント（１２，１４）のばね脚（５６，６６，１１８，１２０）が互いに向き合う方向に折り曲げられている、請求項１０記載のベース。
【請求項１２】
前記ベーススライダ（３８）が、第１のコンタクトスプリング（１２）のばね脚（６６）を受容するためのほぼスリット状の切欠（１１４）と、第２のコンタクトスプリング（１４）のばね脚（５６）のための当接面（１１６）とを有している、請求項１０又は１１記載のベース。
【請求項１３】
前記コンタクトスプリング（１２，１４）が少なくとも１つのばね脚（１１８，１２０）を有しており、該ばね脚が、ランプ（２）に摩擦結合式及び／又は形状結合式に係合可能である、請求項１０から１２までのいずれか１項記載のベース。
【請求項１４】
ベースハウジング（８）が、ほぼ環状のフランジ（２４）を介して前照灯殊に車両前照灯に間接的に又は直接的に当接せしめられるようになっている、請求項１から１３までのいずれか１項記載のベース。
【請求項１５】
ベースハウジング（８）が、前照灯に対して相対的に回転可能、かつバヨネット式接続部によって解除可能に前照灯に固定可能である、請求項１から１４までのいずれか１項記載のベース。
【請求項１６】
前記ベースハウジング（８）及び／又はベーススライダ（３８）が、電気的に絶縁された材料有利にはプラスチックより成っている、請求項１から１５までのいずれか１項記載のベース。
【請求項１７】
請求項１から１６までのいずれか１項記載のベースを備えたランプであって、コンタクトエレメント（１２，１４）がベーススライダ（３８）によってベースハウジング（８）内に形状結合式及び／又は摩擦結合式に固定されていることを特徴とする、ランプ。
【請求項１８】
請求項１から１６までのいずれか１項記載のベース（１）内にコンタクトエレメント（１２，１４）を介して挿入され、かつ電気的に接触せしめられるランプ殊に車両用ランプを製造するための方法において、
次のステップ、つまり、
イ）コンタクトエレメント（１２，１４）を前記ベースハウジング（８）内にもたらし、
ロ）ベーススライダ（３８）を、コンタクトエレメント（１２，１４）を固定するための前記ベースハウジング（８）内に挿入し、
ハ）ランプ（２）をコンタクトエレメント（１２，１４）の保持部（１６）内に嵌め込む、
ステップを有していることを特徴とする、
【発明の詳細な説明】
【技術分野】
【０００１】
本発明は、ベースハウジングと、該ベースハウジング内に固定された、ランプを受容し、かつ電気的に接触させるための少なくとも２つのコンタクトエレメントとを有している形式の、請求項１の上位概念部に記載されたランプ特に車両用ランプのためのベース、並びにこのような形式のベースを備えた、請求項１７の上位概念部に記載したランプ、及びこのような形式のランプを製造するための、請求項１８の上位概念部に記載した方法に関する。
【０００２】
従来技術
本発明によるベースは、原則的に、一端部にベースを備えたランプにおいて用いられる。しかしながら、このようなベースの主な使用分野は、一端部でピンチ封止部を介してベース内に嵌め込まれた、車両前照灯のためのランプである。このような形式のベースを備えたランプは、例えば本特許出願人により後で公開されたＤＥ１０２００４００７１５０（ドイツ連邦共和国特許出願第１０２００４００７１５０号明細書）に記載されている。この従来形式のランプにおいては、ランプを収容するための金属製のベース部分を備えたベースが用いられている。この金属製のベース部分は、ほぼ鉢状に構成された第２のプラスチックベース部分内に嵌め込まれており、この第２のプラスチックベース部分は２つのコンタクトスプリングを備えている。これらのコンタクトスプリングは、ランプを電気的に接触させるために用いられ、射出成形法によって第２のプラスチックベース部分内に組み込まれている。コンタクトスプリングのランプ側の終端区分に、ランプの電流供給部を受容するための溝状の切欠がそれぞれ１つ形成されている。この解決策においては、電流供給部は、コンタクトスプリングの切欠内に嵌め込まれていて、溶接によって固定されている。このような形式のランプにおいては、一方では、ランプを受容するために付加的なベース部分を必要とし、他方ではランプとコンタクトスプリングとの間における溶接に基づく接合技術が高い製造技術的な費用を必要とする、という欠点がある。
【０００３】
製造を簡単にするために、従来技術によれば一般的に、コンタクトスプリングがランプ側で、ランプを受容し、かつ電気的な接触のためのクランプ状の保持部を設けることが公知である。このために、ランプはベース側のピンチ封止部を介してコンタクトスプリングの保持部内に嵌め込まれる。この解決策は、前記ＤＥ１０２００４００７１５０による従来技術に対して、溶接を必要とすることがなく、またランプを受容するための付加的なベース部も必要としないので、ランプの簡単な製造を可能にするものではあるが、保持部の領域内、つまりランプのピンチ封止部が受容され、かつ電気的に接触せしめられる領域内におけるコンタクトスプリングの形状に基づいて、射出成形技術によってベース内に組み付けるためには適していない。何故ならば、コンタクトスプリングの射出成形は、保持部に基づいて限定的にしか可能ではないからである。
【０００４】
発明の開示
本発明の課題は、従来技術の解決策に対して最少の装置技術的な費用で、ランプをベースに最適に保持することができるような、ランプ特に車両用ランプのためのベース、このような形式のベースを備えたランプ、並びにこのようなランプを製造するための方法を提供することである。
【０００５】
この課題は、請求項に記載した特徴の組み合わせによって、また請求項１７の特徴部によって、またランプの製造の方法に関して請求項１８の特徴部によって解決される。本発明の特に有利な実施態様は、従属請求項に記載されている。
【０００６】
ランプ特に車両用ランプのための、本発明によるベースは、ベースハウジングと、該ベースハウジング内に固定された、ランプを受容し、かつ電気的に接触させるための少なくとも２つのコンタクトエレメントとを有している。本発明によれば、ベースハウジングの前記コンタクトエレメントが、該ベースハウジング内に固定可能なベーススライダによって形状結合（formschluessig；形状による束縛）式及び／又は摩擦結合（kraftschluessig；摩擦による束縛）式に固定されている。これによって、コンタクトスプリングは、ランプを受容し、かつ電気的に接触するための保持部を備えて構成されているので、前記ＤＥ１０２００４００７１５０による従来技術のものに対して、ベース内におけるランプの保持が著しく改善されている。この解決策によれば、ランプがベース内に簡単に組み付けられ、冒頭に述べた形式の方法と比較して、同様に製造が著しく簡略化される。何故ならば溶接を形成するために特別な作業ステップを省くことができるからである。
【０００７】
ベーススライダは、有利な形式で、ベースハウジング内に嵌め込まれた後で電気的なコンタクトエレメントを固定するために用いられる、ベースハウジング内に差し込み可能なベース部である。
【０００８】
本発明の有利な実施例によれば、ベーススライダが、ベースハウジングの受容区分内に導半径方向で入可能である。
【０００９】
有利な形式で、ベーススライダが前記ベースハウジングと共に、少なくとも部分的に１つの共通のベース面及び／又は側面を形成している。ベーススライダを介して閉鎖されたベースに基づいて、湿気及び汚れがベースハウジング内に侵入することは効果的に阻止され、ランプの耐用年数が著しく高められる。
【００１０】
本発明の特に有利な実施例によれば、ベーススライダが複数の突起を有しており、これらの突起はベースハウジングの複数の切欠内に挿入可能である。これらの突起は、ベーススライダをベースハウジング内に挿入する作業を軽減する。
【００１１】
特に有利な構成によれば、ベースハウジングの前記切欠が、ベースハウジングの長手方向軸線に対して直角に延在する長手方向溝である。
【００１２】
ベーススライダをベースハウジング内の正しい位置に組み付けるために、少なくとも２つの長手方向溝が、別の２つの長手方向溝よりも大きい横断面を有している。
【００１３】
ベーススライダは、有利な形式で、ロックエレメントを介してベースハウジングに固定される。ベーススライダは、ベースハウジング内にコンタクトエレメントを組み付けるために、このベースハウジング内に半径方向で挿入するだけでよいようになっているので、ベースの製造は著しく簡略化される（いわゆるワンタッチ解除）。
【００１４】
ベースハウジングは、有利な形式で、コンタクトエレメントを受容するための少なくとも２つの切欠を有しており、これらの切欠は、前記コンタクトエレメントが互いにほぼ平行に位置するように配置されている。これらの切欠は、コンタクトスプリングがベーススライダとベースハウジングとの間に固定されるように、ベースハウジング内に配置されている。これによってベース内でのランプの組み付けは軽減される。
【００１５】
本発明の実施例によれば、前記コンタクトエレメントとしてコンタクトスプリングが使用されており、このコンタクトスプリングのばね脚は有利な形式で互いに向き合う方向に折り曲げられている。
【００１６】
ベーススライダは、第１のコンタクトスプリングのばね脚を受容するためのほぼスリット状の切欠と、第２のコンタクトスプリングのばね脚のための当接面とを有している。これによって、コンタクトスプリングは、ベーススライダを組み付けた後で、このベーススライダを介してベースハウジング内で保持され、ランプの差し込み中におけるコンタクトスプリングの変位を阻止する。
【００１７】
コンタクトスプリングは、有利な形式で少なくとも１つのばね脚を有しており、このばね脚は、ランプに摩擦結合式に、及び／又は形状結合式に係合せしめられる。
【００１８】
本発明の有利な実施例によれば、ベースハウジングが、ほぼ環状のフランジを介して前照灯殊に車両前照灯に間接的に又は直接的に当接せしめられるようになっている。湿気及び汚れが前照灯のリフレクタハウジング内に侵入するのを避けるために、シールエレメント例えばシールディスクが、フランジと前照灯ケーシングとの間に配置される。シールエレメントの代わりに、例えば金属より成るスプリングエレメント又は、前照灯の公差を克服するための保持リングを設けてもよい。
【００１９】
有利には、ベースハウジングは、前照灯に対して相対的に回転可能、及びバヨネット式接続部によって解除可能にこの前照灯に固定可能である。これによって、車両前照灯においてランプをより簡単に組み付けることができる。
【００２０】
有利な形式で、前記ベースハウジング及び／又はベーススライダは、電気的に絶縁された材料有利にはプラスチックより成っている。この場合、管球の近傍に配置された、ベースの領域は、高温プラスチックより成っていて、熱的な負荷が小さいベーススライダが、安価なプラスチックより製造されている。
【００２１】
本発明によるランプは、ベースとコンタクトエレメントとを有しており、このベースとコンタクトエレメントとは、ベースハウジング内で形状結合式に、及び／又は摩擦結合式に固定されている。
【００２２】
ベース内にコンタクトエレメントを介して挿入され、かつ電気的に接触せしめられるランプを製造するための、本発明による方法は、次のステップ、つまり、
イ）コンタクトエレメントを前記ベースハウジング内にもたらし、
ロ）ベーススライダを、コンタクトエレメントを固定するための前記ベースハウジング内に挿入し、
ハ）ランプをコンタクトエレメントの保持部内に嵌め込む、
ステップを有している。
【００２３】
以下に本発明の有利な実施例を用いて具体的に説明する。
【００２４】
図１は、挿入されたランプを備えた、本発明によるベースの有利な実施例の概略図、
図２は、図１に示したベースの三次元的な詳細を示す図（斜視図）、
図３は、図２に示したベースハウジングの三次元的な詳細を示す図、
図４は、コンタクトスプリングが装填されている、図２に示したベースケーシングの三次元的な詳細を示す図、
図５は、ベーススライダの挿入中におけるベースの三次元的な詳細を示す図、
図６は、部分的に挿入されたベーススライダを有するベースハウジングの三次元的な詳細を示す図、
図７は、コンタクトスプリングの互いに相対的な空間配置、並びにベーススライダの三次元的な図、
発明の有利な実施例
以下に本発明を、車両前照灯のための、片側にベースを備えた放電ランプを用いて説明する。しかしながら、冒頭で述べたように本発明によるベースは、このような型式のランプにだけ限定されるものではない。
【００２５】
図１は、型式Ｗ１６Ｗ（例えば車両前照灯において表示ランプ又はブレーキランプとして使用される）のランプ２が挿入されている、本発明によるベース１の三次元的な図を示す。このようなランプ２は、電源リード線に接続された発光媒体（図示せず）を有しており、この発光媒体は石英ガラスより成る管球４内に挿入されている。管球４は、一端部にピンチ封止部６を有しており、このピンチ封止部６はほぼ方形の横断面を有していて、シールされてベース１内に挿入されている。ベース１はベースハウジング８を有していて、このベースハウジング８はランプ側に、ランプ２をベースハウジング８内に受容するための組み付け用切欠１０を有している。ベースハウジング８内には、コンタクトスプリング１２，１３として構成された２つのコンタクトエレメントが配置されている。これらのコンタクトエレメントは、ランプ２の組み付け用切欠１０の領域内で、ランプ２のピンチ封止部６を受容するための保持部１６を形成していて、それぞれ発光媒体の２つの電源リード線のうちの一方と電気的に接触している（図示せず）。ベースハウジング８はランプ側で、ほぼ円筒形の固定部１８を有しており、この固定部１８の外周面２０に、半径方向に突き出すほぼウエブ状の３つの接続エレメント２２（図１では、これらの接続エレメント２２のうちの１つが固定部１８によって覆われている）が形成されており、これらの接続エレメント２２は、前照灯の相応の保持エレメント内に係合し、ここで固定さている（図示されていない）。固定部１８は、管球４とは反対側で、少なくとも部分的に環状のフランジ２４に移行している。この環状のフランジ２４は当接面２６を有していて、この当接面２６は、ベース１を前照灯内に組み付けるために、固定部１８に配置されたシーリングディスク２８を介して前照灯に当て付けることができる。シーリングディスク２８は、ベース１を組み付けた状態でフランジ２４と前照灯との間に配置され、湿気及び汚れが前照灯内に入り込むのを阻止する。ベースハウジング８は、管球４とは反対側においてフランジ２４の後ろで、ほぼボックス状のグリップ部３０に移行している。前照灯にベース１を組み付けるために、ベース１は固定部１８を介して前照灯内に挿入され、接続エレメント２２を用いて前照灯に対して相対的に回転させることによって前照灯に固定される。換言すれば、接続エレメント２２は、前照灯の保持部材と共にバヨネット式接続部（差し込み接続部）を形成しており、このバヨネット式接続部を介して、ベース１は解除可能に前照灯に固定可能である。ベース１を前照灯に導入することは、端面側で固定部１８に形成された面取部３２によって軽減される。
【００２６】
図１のベース１を三次元的な詳細図で示した図２によれば、コンタクトスプリング１２，１４は、これらのコンタクトスプリング１２，１４の２つの終端区分３４，３６が半径方向でベースハウジング８から突き出して、図示していないコンタクトプラグを介して電気的に接触可能であるように、ベースハウジング８内に配置されている。本発明によれば、コンタクトスプリング１２，１４はベースハウジング８内で、ベースハウジング８内に固定可能なベーススライダ３８によって形状結合（formschluessig；形状による束縛）式に、かつ摩擦接続（kraftschluessig；摩擦による束縛）式に固定されている。これによってコンタクトスプリング１２，１４は、ランプ２を受容し、かつ電気的に接触させるための保持部１６（図１参照）を備えて構成されているので、ベース１内におけるランプ２の保持は、従来技術に対して著しく改善される。また本発明によれば、ランプの製造は、冒頭に述べた方法と比較して同様に著しく簡略化される。何故ならば溶接を行うための特別な作業ステップは省くことができるからである。図２によれば、ベーススライダ３８の輪郭形状は、ベーススライダ３８がベースハウジング８と共に１つの共通のベース面４０及び側面４２を形成するように、ベースハウジング８の輪郭形状に合わせられている。これによって、湿気及び汚れがベースハウジング８内に侵入することは阻止され、ランプの耐用年数は高められる。図示の実施例では、ベースハウジング８とベーススライダ３８とが、電気的に絶縁されたプラスチックより構成されている。
【００２７】
図２のベースハウジング８の三次元的な詳細を示した図３により分かるように、ベースハウジング８は、ベーススライダ３８（図２参照）を受容するための、底部側及び端面側が開放した受容区分４４を有している。受容区分４４内には、コンタクトスプリング１２，１４を受容するためのほぼ溝状の２つの切欠４６，４８が形成されており、これらの切欠４６，４８は、前記コンタクトスプリング１２，１４が切欠４６，４８の支持面５２，５４に当接せしめられ、ベーススライダ３８とベースハウジング８との間に固定されるように、ベースハウジング８内に配置されている。第１の切欠４６は、ベースハウジング８のプラグ側の終端区分５４内に配置され、コンタクトスプリング１４の第１のばね脚５６（図４参照）に対応配置されている。第２の切欠４８は、ベースハウジング８の長手方向軸線５８の方向でベースハウジング８の側壁６０，６２間に延在する接続ウエブ６４に形成されていて、コンタクトスプリング１２のばね脚６６（図４参照）に対応配置されている。切欠４８は、コンタクトスプリング１２の挿入を軽減するために、縁部側でそれぞれ面取部６８を備えている。
【００２８】
コンタクトスプリング１２，１４が挿入されているベースハウジング８を三次元的に示した、図４から特に分かるように、切欠４６，４８の深さは、コンタクトスプリング１２，１４のばね脚５６，６６の厚さにほぼ相当しているので、ばね脚５６，６６はそれぞれ切欠４６，４８の上側と同一平面を成している。コンタクトスプリング１２，１４は、ばね脚５６，６６が互いにほぼ平行に延在し、ベースハウジング８から半径方向に突き出すように、切欠４６，４８内に押し込まれている。
【００２９】
ベーススライダ３８の挿入中における、装填されたコンタクトスプリング１２，１４を備えたベースハウジング８を三次元的に示した図５によれば、このベーススライダ３８は、矢印で示されているように半径方向で、つまりベースハウジング８の長手方向軸線５８に対して９０°の角度で、ベースハウジング８の受容区分４４内に挿入される。このために、ほぼＬ字状のベーススライダ３８はウエブ状の４つのガイド突起７０，７２，７４，７６を有しており、これらのガイド突起７０，７２，７４，７６は、ベースハウジング８のガイド切欠７８，８０，８２，８４内に導入可能である。図示の実施例では、ベースハウジング８のガイド切欠７８，８０，８２，８４は、ベースハウジング８の長手方向軸線５８に対して直角に、受容区分４の半径方向に広がった領域８６内まで延在している長手方向溝として構成されている。図５の上側に示された、ベースハウジング８の長手方向溝７８，８０は、それぞれ半径方向に広がった領域４４を越えてベースハウジング８の側壁６０，６２内に延在している（図３参照）。これらのガイド突起７０，７２，７４，７６は、ベースハウジング８内へのベーススライダ３８の挿入を軽減し、ベーススライダ３８を、ベースハウジング８の受容区分４４内の長手方向軸線５８の方向に固定する。ベースハウジング８内にベーススライダ３８を組み付ける作業を軽減するために、図５の下側に示した、ベースハウジング８の２つの長手方向溝８２，８４は、上側の長手方向未字７８，８０よりも大きい横断面を有して構成されている。ベーススライダ３８は、ガイド突起７０，７４若しくは７２，７６間に配置された、係止突起８８を備えた２つのロックエレメント９０，９２（ロックエレメント９２は、図５ではベーススライダ３８によって覆われている）を介してベースハウジング８に固定される。このために、ロックエレメント９０，９２は弾性的に構成されていて、ベーススライダ３８の完全な挿入後に係止突起８８を介して、ベースハウジング８の長手方向溝７８，８２若しくは８０，８４間の領域内でベースハウジング８の縁部９４（図３参照）に、挿入側とは逆側にスナップ式に係合するようになっている。
【００３０】
特に、部分的に挿入されたベーススライダ３８を備えたベースハウジング８を三次元的に示した図６により分かるように、このベーススライダ３８は、上側のつば９６に形成されたガイド面９８を介して、ベースハウジング８の側面４２に対して軸方向に引っ込んだ、ベースハウジング８の支持面１００上に載り、この支持面１００を介して、ベースハウジング８内への挿入中にガイドされる。つば９６のプラグ側の区分１０２は、ベーススライダ３８の挿入後に露出し、丸味部１０４を備えている。図６によれば、ベースハウジング８の組み付け用切欠１０は、ほぼ円形に構成されていて、直径方向で互いに向き合う２つの方形の溝１０６，１０８を介して半径方向に広がっている。これらの方形の溝１０６，１０８は、組み付け用切欠１０内でコンタクトスプリング１２，１４を支持するために用いられる。このために、コンタクトスリング１２，１４の９０°曲げられた突起１２６が、方形の溝１０６，１０８の狭幅側（幅の狭い側）１１２に当て付けられるようになっている。
【００３１】
ベーススライダ３８の三次元的な図、及びコンタクトスプリング１２，１４の互いに相対的な空間的配置を示す図７によれば、ベーススライダ３８は、ガイド突起７０，７２間の領域内で、第１のコンタクトスプリング１２のばね脚６６を受容するためのほぼスリット状の切欠１１４と、第２のコンタクトスプリング１４（図４参照）のばね脚５６のための当接面１１６とを有している。これによって、コンタクトスプリング１２，１４は、ベーススライダ３８を組み付けた後で、このベーススライダ３８を介してベースハウジング８内で保持され、ランプ２を保持部１６内に差し込む間、コンタクトスプリング１２，１４が逸れるのを阻止する。コンタクトスプリング１２，１４は、ばね脚５６，６６に対して９０゜折り曲げられたばね脚１１８，１２０を有しており、これらのばね脚１１８，１２０は、ランプ側でほぼクランプ状の保持部１６を形成しており、この保持部１６は、摩擦結合（摩擦による束縛）式及び形状結合（形状による束縛）式にランプ２のピンチ封止部６と係合せしめられ、このピンチ封止部６と電気的に接触する（図１参照）。ばね脚１１８，１２０のランプ側の終端区分１２２，１２４にはそれぞれ２つの突起１２６が形成されており、これらの突起１２６は、ばね脚１１８，１２０を越えて突き出していて、９０゜折り曲げられて保持部１６内に侵入しており、それによってこれらの突起１２６は、ランプ２（図１）のピンチ封止部６の側面１３０をガイドするためのほぼ平行な側面１２８を保持部１６内で形成している。さらに、ばね脚１１８，１２０には、互いに向き合う方向に折り曲げられた、それぞれ２つのクランプ状のばね突起１３２が形成されており、これらのばね突起１３２は、ベースハウジング８の長手方向軸線５８に対して軸平行に延在する、ほぼＣ字形の保持領域１３６を備えた固定部１３４に移行している。ばね突起１３２は、保持領域１３６を介して、ピンチ封止部６の側面１３０に当接せしめられ、それによってランプ２を保持部１６（図１参照）内で固定する。ベースハウジング８から突き出すばね脚１１８，１２０の終端区分３４，３６は、両側で円周方向の面取部１３８を備えており、これらの面取部１３８は、コンタクトプラグ（図示せず）の挿入を容易にする。
【００３２】
図１〜図５を用いて以下に、ランプ２の主な製造ステップを説明する。第１の作業ステップで、コンタクトスプリング１４が、ベースハウジング８の長手方向軸線５８の方向で受容区分４４内に挿入され、支持面５４に当接せしめられる。次いで第２のコンタクトスプリング２が受容区分４４内に挿入され、接続ウエブ６４の支持面５２に当接せしめられる。次の作業ステップで、ベーススライダ３８は、図５に矢印で示されているように、半径方向でベースハウジング８の受容区分４４内に挿入される。ベーススライダ３８をベースハウジング８の受容区分４４内に挿入する際に、コンタクトスプリング１２のばね脚６６は、ベーススライダ３８の切欠１１４内に侵入し、別のコンタクトスプリング１４のばね脚５６は、ベーススライダ３８の当接面１１６に沿ってガイドされる（図７参照）。ベーススライダ３８のガイド突起７０，７２，７４，７６は、ベースハウジング８の長手方向溝７８，８０，８２，８４内に挿入する間、ガイドされている。ベーススライダ３８を完全に挿入した後で、ベーススライダ３８は、係止突起８８を備えたロックエレメント９０，９２を介してベースハウジング８に固定される。次いで、ランプ２がピンチ封止部６を介してコンタクトスプリング１２，１４の保持部１６内に挿入され、固定部１３４のばね作用に基づいてベース１内に固定される。
【００３３】
本発明によるベース１は、いわゆるワンタッチ（one-touch）解除を可能にする。何故ならば、ベーススライダ３８はコンタクトスプリング１２，１４をベースハウジング８内に組み付けるために、半径方向でベースハウジング８内に挿入され、ここで自動的に係止するからである。
【００３４】
ランプ２を受容し、かつ電気的に接触させるための、ベースハウジング内に固定された少なくとも２つのコンタクトエレメント（コンタクトスプリング）１２，１４と１つのベースハウジング８とを備えた、ランプ２特に車両用ランプのためのベース１が開示されている。本発明によれば、ベースハウジング８のコンタクトエレメント１２，１４が、このベースハウジング８内に固定可能なベーススライダ３８によって形状結合式及び／又は摩擦結合式に固定されている。
【図面の簡単な説明】
【００３５】
【図１】挿入されたランプを備えた、本発明によるベースの有利な実施例の概略図である。
【図２】図１に示したベースの三次元的な詳細を示す斜視図である。
【図３】図２に示したベースハウジングの三次元的な詳細を示す斜視図である。
【図４】コンタクトスプリングが装填されている、図２に示したベースケーシングの三次元的な詳細を示す斜視図である。
【図５】ベーススライダの挿入中におけるベースの三次元的な詳細を示す斜視図である。
【図６】部分的に挿入されたベーススライダを有するベースハウジングの三次元的な詳細を示す斜視図である。
【図７】コンタクトスプリングの互いに相対的な空間配置、並びにベーススライダの三次元的な斜視図である。
【符号の説明】
【００３６】
１  ベース、  ２  ランプ、  ４  管球、  ６  ピンチ封止部、  ８  ベースハウジング、  １０  組み付け用切欠、  １２，１４  コンタクトスプリング、  １６  保持部、  １８  固定部、  ２０  外周面、  ２２  接続エレメント、  ２４  環状のフランジ、  ２６  当接面、  ２８  シーリングディスク、  ３０  グリップ部、  ３４，３６  終端区分、  ３８  ベーススライダ、  ４０  ベース面、  ４２  側面、  ４４  受容区分、  ４６，４８  ほぼ溝状の切欠、  ５２，５４  支持面、  ５６  ばね脚、  ５８  長手方向軸線、  ６０，６２  側壁、  ６４  接続ウエブ、  ６６  ばね脚、  ７０−７６  ガイド突起、  ７８−８４  ガイド溝、  ７８，８０、８２，８４  長手方向溝、  ９０，９２  ロックエレメント、  ９４  ベースハウジング８の縁部、  ９６  上側のつば、  ９８  ガイド面、  １００  軸方向で引っ込んだ支持面、  １０２  プラグ側の区分、  １０４  丸味部、  １０６，１０８  方形の溝、  １１２  狭幅側、  １１４  スリット状の切欠、  １１８，１２０  ばね脚、  １２２，１２４  ランプ側の終端区分、１２６  突起、  １３０  側面、  １３２  ばね突起、  １３４  固定部、  １３６  保持部、  １３８  円周方向の面取部
【図１】
2008533672.tif 000003
【図２】
2008533672.tif 000004
【図３】
2008533672.tif 000005
【図４】
2008533672.tif 000006
【図５】
2008533672.tif 000007
【図６】
2008533672.tif 000008
【図７】
2008533672.tif 000009
【国際調査報告】
2008533672.tif 000010
2008533672.tif 000011
2008533672.tif 000012
2008533672.tif 000013
2008533672.tif 000014
2008533672.tif 000015